(57)【特許請求の範囲】
【請求項１】
粉体塗料を収納する塗料カップを、ガン本体に取付けた粉体塗装用カップガンにおいて、塗料カップの外面に、粉体塗装の際のガン本体の動作により、移動可能なリング体を嵌め、このリング体を塗料カップの外面に衝突させて塗料カップに振動を与えることを特徴とする粉体塗装用カップガン。
【請求項２】
粉体塗料を収納する塗料カップを、ガン本体に取付けた粉体塗装用カップガンにおいて、塗料カップ内に、粉体塗装の際のガン本体の動作により、移動可能なリング体を収容するケースを設け、このリング体を塗料カップの内面に衝突させて塗料カップに振動を与えることを特徴とする粉体塗装用カップガン。
【請求項３】
粉体塗料を収納する塗料カップを、ガン本体に取付けた粉体塗装用カップガンにおいて、塗料カップの外面に、粉体塗装の際のガン本体の動作により、振り子式に移動する振り子部材を設置し、この振り子部材を塗料カップの外面に衝突させて塗料カップに振動を与えることを特徴とする粉体塗装用カップガン。
【請求項４】
上記振り子部材が、塗料カップの外周に嵌められるリング体である請求項３に記載の粉体塗装用カップガン。
【請求項５】
上記振り子部材が、塗料カップの外面に吊り下げられたブロック体である請求項３に記載の粉体塗装用カップガン。
【発明の詳細な説明】
【技術分野】
【０００１】
この発明は、粉体塗料を噴射するガン本体に、粉体塗料を収納する塗料カップを取り付けた塗料カップ付きの粉体塗装ガン、即ち、粉体塗装用カップガンに関するものである。
【背景技術】
【０００２】
粉体塗装は、有機溶剤を含まず環境にやさしい塗装として水性塗装と同様に期待されている。
【０００３】
近年は、道路資材はもちろんのこと、事務所や学校などの椅子、机、パーテーション等の塗装に使用されている。特に環境の点から、ビルなどのアルミ外装建材への使用も有力視されている。
【０００４】
ところで、外装建材等のテストサンプル色の検討や、塗料メーカーのテストピースを作成する際には、小ロットの多色塗装を行うことが多い。
【０００５】
このような小ロットの多色塗装を行う場合、塗料タンクから粉体ホースを介して粉体塗料をガン本体に供給する通常の粉体塗装装置を使用すると、小ロットの色替え毎に、塗料タンクの清掃、粉体塗料ホースの清掃又は交換、ガン本体の清掃といった工程を頻繁に行なう必要がある。
【０００６】
このため、小ロットの粉体塗装を行う場合やテストピースの作成を行う場合には、ガン本体の上方又は下方に直接、粉体塗料を収納した塗料カップを取り付けた塗料カップ付きの粉体塗装ガンを使用することが多い（特許文献１）。この粉体塗装用カップガンは、粉体塗料ホースがなく、色替が簡単であり、頻繁な色替には好都合である。
【先行技術文献】
【特許文献】
【０００７】
【特許文献１】特開２００８−１５５１４９号公報
【発明の開示】
【発明が解決しようとする課題】
【０００８】
従来の粉体塗装用カップガンは、例えば、図１５に示すように、ガン本体３１の下部に、粉体塗料を収納した塗料カップ３２を取り付け、その塗料カップ３２の底面に多孔板３３を設置し、塗料カップ３２内の底面周辺に設置された吸引管３４で粉体塗料Ａを吸引するようになっている。
【０００９】
吸引管３４からの粉体塗料Ａの吸引により塗料カップ３２内が負圧になると、底面の多孔板３３から外気が進入し、吸引管３４の入り口部の周辺を流動化することにより、安定した状態で粉体塗料Ａをガン本体３１に供給することができる。
【００１０】
また、同様に、図１６に示すように、ガン本体３１の後方の上部に円錐状の塗料カップ３２を設置し、その下部に、吸引装置としてのインジェクター３５を設置し、インジェクター３５の吸引によって、粉体塗料Ａをガン本体３１に搬送するようにしたものもある。
【００１１】
上記どちらの場合も、スタート時は塗装が順調であっても、時間が経過すると、図１７に示すように、塗料カップ３２の側壁に粉体塗料Ａが付着して、塗料カップ３２の途中で粉体塗料Ａがブロックした状態となり、吸引管３４の吸引口付近に空洞が発生し、すぐに息継ぎ現象が起きたり、粉体塗料Ａを全く吸わなくなって、空気ばかりを吸引してしまったりということが多々起こる。そのために、テストピースに塗料ブツが発生したり、膜厚の均一性が保てなくなったり、時にはスケが発生する。
【００１２】
このような現象が発生すると、作業者は、粉体塗装用カップガンを大きく振って、ブリッジ現象を解消する必要が生じるため、その行動に神経をとられて、要望膜厚以上の過剰塗装を行なってしまうということがあった。
【００１３】
また、時には塗装サンプル品の凹部等に塗り残しを生じさせるということがあった。
【００１４】
かかる問題を解決するために、塗料カップ内にブリッジブレーカーとして、エアーバイブレーターを設置することも考えられるが、エアーバイブレーターを設置すると、却って塗料カップ内の粉体塗料がその機械的振動で、ブロッキングを起こしやすく、吸引管の吸引口付近に粉体塗料が固まり、吐出異常の原因となることがあった。
そこで、この発明は、粉体塗装用カップガンの塗料カップ内における粉体塗料のブロック現象を、塗装作業の際の粉体塗装用カップガンの動きを利用して簡単に解消しようとするものである。
【課題を解決するための手段】
【００１５】
前記の課題を解決するために、この発明に係る粉体塗装用カップガンは、塗料カップ内に、粉体塗装の際のガン本体の動作により、移動可能なリング体を収容するケースを設け、このリング体を塗料カップの内面に衝突させて塗料カップに振動を与えるようにしたものである。
【００１６】
ガン本体は、手持ち式で動作させてもよいし、レシプロケーター又は塗装ロボットによって自動式で動作させてもよい。
【００１９】
また、塗料カップ内に、粉体塗装の際のガン本体の動作により、移動可能なリング体を収容するケースを設け、このリング体を塗料カップの内面に衝突させて塗料カップに振動を与えるようにしてもよい。
【００２０】
塗料カップの外面に、粉体塗装の際のガン本体の動作により、振り子式に移動する振り子部材を設置し、この振り子部材を塗料カップの外面に衝突させて塗料カップに振動を与えるようにしてもよい。
【００２１】
上記振り子部材としては、塗料カップの外周に嵌められるリング体、または
塗料カップの外面に吊り下げられたブロック体のいずれでもよい。
【発明の効果】
【００２２】
この発明に係る粉体塗装用カップガンは、粉体塗装の際のガン本体の動作によって、ボールやリング体等の移動体が移動して、塗料カップの外面又は内面に衝突する。
【００２３】
この衝突により、塗料カップに振動を与えることができるので、塗料カップの内壁への粉体塗料の付着や、塗料カップ内の粉体塗料によるブリッジ現象がなくなり、しかもその振動は粉体塗料にやさしい、ストレスがかからない振動であるため、安定した状態で塗装を行うことができる。
【図面の簡単な説明】
【００２４】
【図１】この発明に係る粉体塗装用カップガンの一例を示す部分切断正面図である。
【図２】（ａ）は図１の粉体塗装用カップガンの平面図、（ｂ）は図１の粉体塗装用カップガンの塗料カップを９０度回転させた状態の平面図、（ｃ）は転動体入りのケースを粉体塗装用カップガンの塗料カップの周囲の４箇所に設置した例の平面図である。
【図３】この発明に係る粉体塗装用カップガンの他の例を示す部分切断正面図である。
【図４】この発明に係る粉体塗装用カップガンの他の例を示す部分切断正面図である。
【図５】この発明に係る粉体塗装用カップガンの他の例を示す部分切断正面図である。
【図６】（ａ）は図５の例の部分横断平面図、（ｂ）は図５の例のガイド棒を３本にした例を示す部分横断平面図である。
【図７】この発明に係る粉体塗装用カップガンの他の例を示す部分切断正面図である。
【図８】この発明に係る粉体塗装用カップガンの他の例を示す部分切断正面図である。
【図９】この発明に係る粉体塗装用カップガンをレシプロケーターに設置した例を部分切断正面図である。
【図１０】この発明に係る粉体塗装用カップガンをレシプロケーターに設置した他の例を部分切断正面図である。
【図１１】この発明に係る粉体塗装用カップガンをレシプロケーターに設置した他の例を部分切断正面図である。
【図１２】この発明に係る粉体塗装用カップガンをレシプロケーターに設置した他の例を部分切断正面図である。
【図１３】この発明に係る粉体塗装用カップガンをレシプロケーターに設置した他の例を部分切断正面図である。
【図１４】この発明に係る粉体塗装用カップガンの他の例を示す部分切断正面図である。
【図１５】従来の粉体塗装用カップガンを示す部分切断正面図である。
【図１６】従来の粉体塗装用カップガンの他の例を示す部分切断正面図である。
【図１７】従来の粉体塗装用カップガンで生じる粉体塗料のブロッキング現象を示す部分切断正面図である。
【発明を実施するための形態】
【００２５】
以下、この発明の実施の形態を添付図面に基づいて説明する。
図１の粉体塗装用カップガンは、手吹き式のものであり、ガン本体１の下部に、塗料カップ２が直接設置されている。
【００２６】
塗料カップ２の下部には、多孔質パッド３が設置され、この多孔質パッド３から自然空気が塗料カップ２内に入るようになっている。
【００２７】
ガン本体１には、粉体塗料Ａを搬送するための吸引装置としてのインジェクター４が付いた吸引管５が、塗料カップ２内の多孔質パッド３の上部付近に位置するように設置されている。
【００２８】
塗料カップ２の外周壁には、ボール等の転動体６の入ったケース７が、対向状態で２箇所設置されている。
【００２９】
ガン本体１のトリガー８をＯＮにすると、インジェクター４の吸引エアーが作動し、吸引管５の入り口部より粉体塗料Ａの吸引が始まる。塗料カップ２内は密閉されているため、多孔質パッド３から自然空気が強制吸引されて、多孔質パッド３の周辺の粉体塗料が流動化状態となり、安定した状態で塗料吸引が行なわれる。
【００３０】
手吹き式の粉体塗装用カップガンを使用する場合、一般的には、塗装を均一に仕上げるために、ガンを被塗装物、例えば、テストピースに対して左右に振って塗装を行うのが大半である。
【００３１】
図１の実施形態では、転動体６の入ったケース７を、図２（ａ）に示すように、ガンの持ち手に対して前後に設置している。
【００３２】
しかしながら、上記のように、手吹き塗装の場合、ガンを左右に振って塗装を行うのが大半であるから、図２（ｂ）に示すように、ガン本体１に対して塗料カップ２を９０度回転させて、転動体６の入ったケース７を、ガンの持ち手に対して左右に設置した方がよい。
【００３３】
転動体６の入ったケース７を、ガンの持ち手に対して左右に設置することにより、ガンの振れや傾きにより、転動体６がケース７内を動き、ケース７を設置した塗料カップ２の外壁に転動体６が衝突する。この衝突は何回も繰り返される。この転動体６の衝突により、塗料カップ２が振動するため、塗料カップ２の内壁に付着した粉体塗料が塗料カップ２内に落下する。
【００３４】
また、衝突による振動により、塗料カップ２内でのブリッジ現象が解消される。
【００３５】
このため、作業者は、塗料カップ２内の粉体塗料の状態を気にせずに、安定した状態で塗装を行うことができる。
【００３６】
図１の実施例では、転動体６の入ったケース７を塗料カップ２の左右の同じ高さ位置に設置したが、図３のように、高さ位置を変えることにより、その衝突による振動の幅を大きくすることができる。
【００３７】
上記のように、手吹き塗装を行う場合、ガンを左右に振って行うことが多いが、ガンを前後に移動させて塗装を行うことが多い場合には、図２（ａ）に示すように、転動体６の入ったケース７をガンの持ち手に対して前後に設置した方が好ましい。
【００３８】
また、図２（ｃ）に示すように、転動体６の入ったケース７を塗料カップ２の前後左右の４箇所に設置するようにしてもよい。
ケース７内に収容する転動体６は、１個でもよいし、複数でもよい。また、転動体６は、ケース７内で移動するものであれば、ボール以外に、ころ形状のものでもよい。
【００３９】
また、上記の実施例では、転動体６の入ったケース７を、塗料カップ２の外面に設置したが、図４に示すように、塗料カップ２の内面に設置してもよい。
【００４０】
次に、図５は、移動体を、塗料カップ２の外面に嵌めるリング体９とし、粉体塗装の際のガン本体の動作により、リング体９を塗料カップ２の外面に衝突させるようにした例である。
【００４１】
リング体９は、図５及び図６（ａ）に示すように、塗料カップ２の外周面の対向位置に突出する２本のガイド棒１０によって支持している。
【００４２】
リング体９は、図６（ｂ）に示すように、３本又はそれ以上の本数のガイド棒１０によって支持するようにしてもよいが、図５及び図６（ａ）に示すように、塗料カップ２の外周面の対向位置に突出する２本のガイド棒１０によって支持すると、リング体９は、２本のガイド棒１０を支点にして揺動自在に、塗料カップ２の外周面に不安定な状態で支持されることになるため、手吹き塗装でガンを動かすと、リング体９が大きく揺れ動いてリング体９が塗料カップ２の外周面に衝突する。
【００４３】
これにより、塗料カップ２に加わる振動も大きくなり、塗料カップ２内の側壁に付着した流動性の悪い粉体塗料でも、塗料カップ２内にブリッジよる空洞が形成され難い。
【００４４】
上記実施例は、リング体９をガイド棒１０によって塗料カップ２に支持するようにしているが、図７の実施例では、ガイド棒１０を使用しないで、塗料カップ２の外周面に、リング体９を収容するケース１１を取り付けている。
【００４５】
図８の実施例は、リング体９を収容するケース１１を、塗料カップ２の内部に設けた例である。
【００４６】
図９〜図１３の実施例は、レシプロケーター１２に粉体塗装用カップガンを取付けた自動塗装機を示している。自動塗装機としては、塗装ロボットも使用することができる。
【００４７】
この自動塗装機に使用する粉体塗装用カップガンは、ガン本体１３の後方上部に、円錐型の塗料カップ１４を設置している。
【００４８】
塗料カップ１４の下部には、吸引装置としてのインジェクター１５が取り付けられ、塗料カップ１４内の粉体塗料はインジェクター１５の吸引によって、ガン本体１３内に搬送される。
【００４９】
塗料カップ１４は、ガン本体１３と共に、レシプロケーター１２によって上下方向に往復運動する。
【００５０】
図９の実施例では、図１の実施例と同様に、塗料カップ１４の外周に、転動体６の入ったケース７を対向位置に設置している。
【００５１】
したがって、レシプロケーター１２によって塗料カップ１４がガン本体１３と共に、上下方向に往復運動すると、ケース７内の転動体６が塗料カップ１４の外壁に衝突し、その振動により、塗料カップ１４の内壁に付着した粉体塗料が除去され、塗料カップ１４の内部に粉体塗料のブリッジによる空洞も形成されないので、安定した状態での塗装が行える。
【００５２】
図１０の実施例は、転動体６の入ったケース７を塗料カップ１４内に設置した例であるが、頻繁に色替清掃を行なう場合には、塗料カップ１４内には、清掃に邪魔になるものは設置したくないので、転動体６の入ったケース７は、図９に示すように、塗料カップ１４の外面に設けることが望ましい。
【００５３】
図１１の実施例は、図５の実施例と同様に、リング体９を塗料カップ１４の外周面に設けた例であり、リング体９を２本のガイド棒１０によって支持している。
【００５４】
図１２及び図１３の実施例は、移動体として、レシプロケーター１２の上下動により、振り子式に移動する振り子部材１６を使用し、振り子部材１６を塗料カップ１４の外面に衝突させて塗料カップ１４に振動を与えるようにしたものである。
【００５５】
上記振り子部材１６としては、図１２に示すように、塗料カップ１４の上蓋１８に吊り下げ支持したリング体１７、又は図１３に示すように、塗料カップ１４の上蓋１８に吊り下げ支持したブロック体１９を使用することができる。
【００５６】
上記振り子部材１６を構成するリング体１７又はブロック体１９は、塗料カップ１４に衝突した際に、塗料カップ１４に振動が生じるように、比較的重量のある金属等を使用することが好ましい。
【００５７】
次に、以上の実施例は、塗料カップ２、１４をガン本体１、１４に直接取り付けた例を示しているが、図１４の実施例は、ガンホルダー２０上に、ガン本体２１と塗料カップ２２とを別置きし、ガン本体２１と塗料カップ２２のインジェクター１５とを粉体塗料ホース２３によって接続した例である。
【００５８】
図１４の実施例では、図１２の実施例と同様に、リング体１７を塗料カップ２２の上蓋２４に吊り下げ支持し、ガンホルダー２０の移動により、リング体１７が振り子のように動いて、塗料カップ２２にリング体１７が衝突するようにして、粉体塗料Ａのブロッキングを防止している。
【符号の説明】
【００５９】
１  ガン本体
２  塗料カップ
３  多孔質パッド
４  インジェクター
５  吸引管
６  転動体
７  ケース
８  トリガー
９  リング体
１０  ガイド棒
１１  ケース
１２  レシプロケーター
１３  ガン本体
１４  塗料カップ
１５  インジェクター
１６  振り子部材
１７  リング体
１８  上蓋
１９  ブロック体
２０  ガンホルダー
２１  ガン本体
２２  塗料カップ
２３  粉体塗料ホース
２４  上蓋
Ａ  粉体塗料
【図１】
0005550434.tif 000002
【図２】
0005550434.tif 000003
【図３】
0005550434.tif 000004
【図４】
0005550434.tif 000005
【図５】
0005550434.tif 000006
【図６】
0005550434.tif 000007
【図７】
0005550434.tif 000008
【図８】
0005550434.tif 000009
【図９】
0005550434.tif 000010
【図１０】
0005550434.tif 000011
【図１１】
0005550434.tif 000012
【図１２】
0005550434.tif 000013
【図１３】
0005550434.tif 000014
【図１４】
0005550434.tif 000015
【図１５】
0005550434.tif 000016
【図１６】
0005550434.tif 000017
【図１７】
0005550434.tif 000018